(57)【要約】      （修正有）【課題】収容物の形態によって調整対応可能とする底マチの形態を変更することができるバッグを提供する。【解決手段】柔軟性を有する素材からなるバッグ１であって、底部３の長手方向の両側方端に配置した第一係合部と第二係合部と、底部３に配置した前記係合部と係合する第一の被係合部４１と第二係合部と同じ端部に位置する第二の被係合部とを有し、係合部と被係合部との係合により係合部と被係合部との間で底マチ方向Ｘに沿って折り曲げ、底部の長手方向Ｙを収縮して、底マチ方向Ｘを拡張するようにして、バッグの収容状態を調整可能にするバッグ。【選択図】図１
2019180694.tif 000002
【特許請求の範囲】
【請求項１】
柔軟性を有する素材からなり、所定の底マチ幅と、該底マチ幅と直交する長手方向の底部を有するバッグ本体からなるバッグであって、
前記バッグ本体内部において、前記底部の長手方向の側方端に配置した係合部と、前記底部に配置した前記係合部と係合する被係合部とを有し、
前記係合部と前記被係合部との係合により、前記係合部と前記被係合部との間で底マチ幅方向に沿って前記底部を折り曲げ可能にするバッグ。
【請求項２】
係合部は、底部の長手方向の一方の側方端であって底マチ幅方向中央に配置する第一係合部と、他方の側方端であって底マチ幅方向中央に配置する第二係合部とからなり、
被係合部は、底部の底マチ幅方向中央であって底部の長手方向に沿って両側方から中央寄りに２ヶ所に配置された第一の被係合部と、第二係合部が配置される前記他方の側方端に配置される第二の被係合部とからなることを特徴とする請求項１に記載のバッグ。
【請求項３】
第一の被係合部の外方端縁が、第一係合部と第二の被係合部との係合により形成される底マチ幅方向に沿った折り曲げ線の中央側に隣接することを特徴とする請求項２に記載のバッグ。
【請求項４】
バッグ本体外面の底部周辺に装着し、少なくとも前記バッグ本体と同等若しくはそれ以上の剛性を有する補強部であって、
前記補強部の底マチ幅方向の両側方縁は、第一の被係合部の外方端縁に沿い、前記補強部の底マチ幅方向縁は、第一係合部と第二の被係合部との係合により拡張された底マチ幅の縁部に沿うことを特徴とする請求項３に記載のバッグ。
【請求項５】
バッグ本体は、側方重ねしろと、底部のマチを形成するための耳部を袋体内部の底部両側端に形成したものであって、
第一係合部と第二係合部は、帯状体を折り返した第一係合片と第二係合片に各々取り付けられ、
前記第一係合片と第二係合片は、折り返した一方端を前記耳部に縫着し、折り返したもう一方端を前記側方重ねしろの下端に縫着したことを特徴とする請求項３または４のいずれかに記載のバッグ。
【発明の詳細な説明】
【技術分野】
【０００１】
本発明はバッグ、特に手軽に使用できるトートバッグに係るものであって、底面の形態を折り曲げて変更できるものに関する。
【背景技術】
【０００２】
従来からバッグのマチを変更させて、その収納能力を変化させるものは存在する。
【先行技術文献】
【特許文献】
【０００３】
【特許文献１】特許第１９７５２号公報
【特許文献２】実用新案登録第３１６１８１０号公報
【特許文献３】実用新案登録第３２０４６３５号公報
【発明の概要】
【発明が解決しようとする課題】
【０００４】
従来から様々なバッグや鞄が提供されている。先行技術文献はいずれもバッグの収納能力を変化させるものであるが、底部の形態を変更させて、様々な用途に使用可能にするものは無かった。つまり、紙類を入れるための形態、お弁当を入れるための形態等の用途に合わせた変更が求められてきたが、これに対応するバッグはなかった。
【０００５】
特許文献１に示す鞄は、両サイドのマチに帯を設けて金具で付着させることで、収容空間を収縮させるものである。また、特許文献２に示すバッグは、両サイドのマチに折り目が形成され、この折り目に沿ってマチ幅の調整が可能になる。これらの文献は、いずれも両サイドのマチ幅を調整するものであり、底マチを調整することはできなかった。
【０００６】
また、特許文献３に示す手提げ袋は、底面に折り線が形成され、この折り線にそって調整が可能とするものである。特許文献３に示す手提げ袋は、底マチを調整するものではあるが、その調整状態を保持するものではなかった。
【０００７】
そこで、底マチの形態を変更して収容物に応じたバッグに変更できるものであって、なおかつ簡易な操作で、調整状態が保持できるものが求められてきた。
【課題を解決するための手段】
【０００８】
本発明のバッグは、柔軟性を有する素材からなり、所定の底マチ幅と、該底マチ幅と直交する長手方向の底部を有するバッグ本体からなるバッグであって、前記バッグ本体内部において、前記底部の長手方向の側方端に配置した係合部と、前記底部に配置した前記係合部と係合する被係合部とを有し、前記係合部と前記被係合部との係合により、前記係合部と前記被係合部との間で底マチ幅方向に沿って前記底部を折り曲げ可能にすることを特徴とする。
【０００９】
また、係合部は、底部の長手方向の一方の側方端であって底マチ幅方向中央に配置する第一係合部と、他方の側方端であって底マチ幅方向中央に配置する第二係合部とからなり、被係合部は、底部の底マチ幅方向中央であって底部の長手方向に沿って両側方から中央寄りに２ヶ所に配置された第一の被係合部と、第二係合部が配置される前記他方の側方端に配置される第二の被係合部とからなることが好ましい。
【００１０】
また、第一の被係合部の外方端縁が、第一係合部と第二の被係合部との係合により形成される底マチ幅方向に沿った折り曲げ線の中央側に隣接することが好ましい。
【００１１】
また、バッグ本体外面の底部周辺に装着し、少なくとも前記バッグ本体と同等若しくはそれ以上の剛性を有する補強部であって、前記補強部の底マチ幅方向の両側方縁は、第一の被係合部の外方端縁に沿い、前記補強部の底マチ幅方向縁は、第一係合部と第二の被係合部との係合により拡張された底マチ幅の縁部に沿うことが好ましい。
【００１２】
また、バッグ本体は、側方重ねしろと、底部のマチを形成するための耳部を袋体内部の底部両側端に形成したものであって、第一係合部と第二係合部は、帯状体を折り返した第一係合片と第二係合片に各々取り付けられ、前記第一係合片と第二係合片は、折り返した一方端を前記耳部に縫着し、折り返したもう一方端を前記側方重ねしろの下端に縫着したことが好ましい。
【発明の効果】
【００１３】
請求項１記載の発明により、係合部と被係合部との係合により、底部の長手方向を収縮し、底マチ幅方向を拡張して、底部の調整を可能にするバッグを提供することができる。
【００１４】
請求項２記載の発明により、第一の被係合部と第二の被係合部とを使い分けることで、バッグの使用態様によってさまざまな形態で調節することが可能になる。すなわち、底マチ幅が狭いときには書類入れとして、底マチ幅が広いときには弁当箱入れとして使用することが可能となる。
【００１５】
請求項３記載の発明により、第一の被係合部の外方端が第二の被係合部と第一係合部が係合した場合の折り曲げ線に隣接することで、この第二の被係合部と第一係合部とが係合した状態で、底部を折り曲げる折り曲げ線を作出し易くすることができ、容易に収縮形態にすることができる。
【００１６】
請求項４に記載の発明により、使用者が補強部に沿って第一係合部と第二の被係合部とを係合したバッグの調節状態とすることが可能になる。また、補強部の存在により、第一の被係合部の取付跡を隠すことができ、外観上も見栄えのよいバッグを提供することができる。
【００１７】
請求項５記載の発明により、第一係合部および第二係合部を第一係合片、第二係合片により耳部及び側方重ねしろに取り付けることで、係合部と被係合部との係合により、底部やバッグ本体の下方を引っ張り、底部の調整を容易にすることができる。
【図面の簡単な説明】
【００１８】
【図１】本実施形態のバッグの非調節状態を示す斜視図である。
【図２】トートバッグの製造方法を説明するものであって、（ａ）は本体布地の状態、（ｂ）は本体布地を折り畳んで縫製する状態を示す斜視図である。
【図３】トートバッグの製造方法を説明するものであって、(ａ)は底マチ部を形成して正面側に折り返した状態の正面図、（ｂ）底マチ部を正面側に折り返さなかった状態の正面図である。
【図４】トートバッグの製造方法を説明するものであって、バッグ本体の表面を切り欠き、その内方の底部側方端を拡大した一部拡大正面図である。
【図５】本実施形態の非調節状態を示すものであって、（ａ）は図１のＡ−Ａ線断面図、（ｂ）は（ａ）のＢ−Ｂ線断面図である。
【図６】本実施形態の第一の調節状態を示すものであって、（ａ）は図５（ａ）から第一調整状態としたＡ−Ａ線断面図、（ｂ）は（ａ）のＣ−Ｃ線断面図である。
【図７】本実施形態の第二の調整状態を示すものであって、（ａ）は図５（ａ）から第二調整状態としたＡ−Ａ線断面図、（ｂ）は（ａ）のＤ−Ｄ線断面図である。
【図８】本実施形態の底面図であって、（ａ）は非調整状態のもの、（ｂ）は第一調整状態のもの、（ｃ）は第二調整状態のものを示す。
【発明を実施するための形態】
【００１９】
本発明の実施形態について、図面に沿って説明する。なお、断面図で示す場合にハッチングは省略している。図１に示すように、本発明のバッグ１は、底部３を有するバッグ本体２と、バッグ本体２の上縁に取り付けられた取手４、４とからなる。本説明において、図面上の矢印線Ｘ方向を底マチ幅方向、矢印線Ｙ方向を長手方向として説明し、バッグ本体２の内部とは、袋体の収納側となる内方を示すものとして説明する。また、図面上の前後左右は説明上のものであり、図面上縫着する部分は縫着線Ｈで示している。
【００２０】
本実施形態のバッグ本体２の素材は、柔軟性があるものが好ましく、ポリエステル材や綿布、合成皮革によるものであってもよい。柔軟性のある素材とは、本発明の係合部と被係合部との係合による底部の折り畳み、折り返しが可能であって、後述のとおり、バッグ本体の下方が底部になるような柔軟性を有することが必要である。この柔軟性を前提に、バッグとしてのコシやハリも必要である。
【００２１】
先ず、図２〜４に示すように、トートバッグの製造方法について説明する。図２（ａ）に示すように、バッグ本体２を構成する生地を所定の大きさに裁断するところ、このバッグ本体の生地は、完成後に前面２ａと後面２ｂとなる面が連続した状態となる。そして、図２（ｂ）に示すように、このバッグ本体２の完成後に内面となる面を外側にし、完成後に本体前面２ａとなる面と、本体後面２ｂとなる面とを重ね合わせ、その両側方（図面上の一点鎖線）で縫着する。なお、この縫着した外側が側方重ねしろ１２、１２となる。
【００２２】
次に図３（ａ）に示すように、所定のマチ幅ができるように底部３を決め、バッグ本体２の下方の両側端を、外方を頂点とした三角形となる耳部１１、１１に折り畳む。この耳部１１、１１の三角形となる底辺に沿って、マチ幅方向に縫着する。図３(ａ)は、底部３が分かり易いように正面側に折り畳んだものであり、折り畳まない状態では図３（ｂ）となる。
【００２３】
図３に示すバッグ本体２を、裏返し、取手４を取り付けて作成する。図４に示すように、バッグ本体２の内部では、底部３の側方端に耳部１１が中央側に突出して形成された状態となる。このように、上記一般的なトートバッグであれば、耳部１１、１１は、バッグ本体２の内面で底部３の両側方端に位置する。なお、図４は耳部の説明のために側方重ねしろ１２を省略しているが、これは本体２の側方から内方にかけて突出して形成される。
【００２４】
本実施形態のバッグ本体２は、図５（ａ）、（ｂ）に示すように、第一係合部２１、第二係合部３１を底部３の両側方端に配置するものであって、具体的には底部３の両側方端にある耳部１１、１１に、底部３の両側方端と係合部とを連結する連結体である帯状形態の第一係合片２２、第二係合片３２に配置することにより形成される。本実施形態のバッグ本体２は、耳部１１、１１が形成されていることから所定の底マチ幅を有するものである。この底マチ幅は、バッグに成型される通常の底マチ幅であるが、いわゆるツマミマチと呼ばれる極小のマチ幅であってもよい。
【００２５】
第一係合片２２及び第二係合片３２は、帯状体からなるもので、この帯状体を長手方向中央で折り返し、帯状体の長手方向と底部３の長手方向とを沿うようにし、耳部１１、１１にその端部を縫着して取り付ける。ここで、本実施形態では図面上左側の耳部１１に第一係合片２２を縫着し、図面上右側の耳部１１に第二係合片３２を縫着する。この縫着位置は、平面視において三角形状となる耳部１１、１１の若干、先端側（長手方向中央側）であるが、耳部１１、１１が底部３の長手方向の両側方端に形成されたものであるために、第一係合部２１及び第二係合部３１がバッグ本体２の底部３の長手方向の両側方端に配置されることとなる。また、底マチ幅方向では中央となるようにしている。
【００２６】
本実施形態では、第一係合片２２と第二係合片３２とを耳部１１、１１に縫着するものであるが、折り返した係合片の１つを耳部１１の下側から縫着し、折り返した係合片のもう1つを耳部１１の上側からであって、さらに側方重ねしろ１２の上側から縫着するものであってもよい。また、その取付位置は耳部１１、１１に限定するものではなく、耳部１１、１１を切り取ったバッグであれば側方重ねしろ１２、１２の下端のみに取り付けるものであってもよく、耳部１１、１１を形成するにおいてマチ幅線に沿った縫着をする際にこの縫着に第一係合片２２、第二係合片３２を重ね合わせて縫着し、耳部１１、１１を切り取るものであってもよい。
【００２７】
第一係合片２２、第二係合片３２には、第一係合部２１、第二係合部３１が配置されている。本実施形態における第一係合部２１、第二係合部３１はスナップボタンからなる。ただし、係合部はこれに限定されず、面ファスナーによるものであってもよい。図５（ｂ）に示すように、第一係合部２１と第二係合部３１は、中央で折り返した帯状体の第一係合片２２、第二係合片３２の下方に向いた側に取り付けられ、係合しない状態では係合部が下方に向くようにしている。
【００２８】
第一係合部２１、第二係合部３１と係合する第一の被係合部４１、４１は、バッグ本体の内方であって、底部３のマチ幅方向中央で、上方に係合面が向くように縫着して配置される。その取付位置は、各々の両側方端から全体の側方長さ（長手方向長さ）の中央寄りの位置であり、本実施形態では両側方端から長手方向長さの約４分の１程度、中央側の位置に配置することが好ましい。
【００２９】
本実施形態の第一の被係合部４１、４１は、バッグ本体２の底部３の内方に直接取り付ける。本実施形態では、第一の被係合部４１、４１はスナップボタンのボタン受けである。このボタン受けは、底部３の内方側の面にボタン受けの本体を配置し、底部３の外方側の面にこの本体の外周から底部３の素材ごと嵌め込む固定パーツ（図示しない）を用いて固定する。なお、その他の実施形態として、第一の被係合部４１、４１を係合部２１、３１と同じく帯状体の係合片をマチ幅方向に配置して固定したり、ボタン受けを底部に縫着するものであってもよい。
【００３０】
図５（ａ）に示すように、非調整状態の底部３は一般的なバッグと同じ状態であるが、第一の調整状態では折り曲げ線Ｍ１で折り曲げ、第二の調整状態では折り曲げ線Ｍ２に沿って折り曲げる。本実施形態では、この折り曲げ線は底部３に形成したものではなく架空のものであるが、予め底部３に折り曲げ線に沿った折り罫やステッチを入れておくものであってもよい。
【００３１】
図６（ａ）、（ｂ）に示すように、第一の調整状態では、第一係合部２１と第二係合部３１を各々近い被係合部４１、４１に係合させることで、バッグ本体２の側方長さ（長手方向長さ）を約４分の１程度減縮させることができる。つまり、第一係合部２１と第二係合部３１とが第一の被係合部４１、４１と係合するときに、第一係合片２２と第二係合片３２が底部３の長手方向両側方を引っ張り、被調整状態時の底部３の両側方端と第一の被係合部４１、４１との間の位置で底部が折り畳まれ（図５（ａ）折り曲げ線Ｍ１参照）、底部３の長手方向が収縮される。この場合、バッグ本体２の側面の下方部分が底面３に引っ張られて新たな底面となり、そのときにバッグ本体２の前面と後面の下方部分も同様に新たな底面となるため、第一の調整状態では底部３のマチ幅が若干拡張されることとなる。これにより、底部３の長手方向を収縮させ、マチ幅方向を拡張させることで底部を調節し、様々な形態の収容物をバッグ本体に入れることが可能になる。
【００３２】
本実施形態の被係合部４１、４１はスナップボタンのボタン受けであるが、第一係合部２１と第二係合部が面ファスナーであれば被係合部４１、４１も面ファスナーであってもよい。
【００３３】
また、耳部１１、１１は底部３を折り曲げて形成されるものであるため、耳部１１、１１に第一係合片２２、第二係合片３２を取り付けることで、この部分を引っ張って収縮させると、底部３を直接引っ張ることになり、バッグ本体の調整がし易い。また、バッグ本体１の外面から調整手段である第一係合部２１、第二係合部３１が見えず、しかも、取付跡が見えないこととなり、意匠的に好ましい状態となる。
【００３４】
また、図１、図５（ａ）、（ｂ）に示すように、本実施形態は、第二係合片３２に第二の被係合部４３を縫着して取り付ける。第二係合片３２は、上述のとおり、中央で長手方向に折り返した帯状体であり、第二係合部３１が折り返した下側の係合片に取り付けられて、下方に向くように取り付けられ、上側の係合片に第二の被係合部４３を取り付ける。
【００３５】
第二の調整状態とする場合、図７（ａ）、（ｂ）に示すように、第一係合部２１と第二の被係合部４３に係合させ、底部３の２分の１程度の長手方向長さを収縮することが可能になる。つまり、第一係合片２２と第二係合片３２とを中央側に各々引っ張り、底部３の長手方向中央付近で第一係合部２１と第二の被係合部４３とを係合させる。この場合にも上述と同じく、第一係合片２２と第二係合片３２が底面３の両側方を引っ張り、非調整状態時の底部３の両側方と底部の長手方向中央付近との間で折り畳まれ（図５（ａ）の折り曲げ線Ｍ２参照）、底部３の長手方向を収縮することができる。この場合にも、バッグ本体２の側面の下方の部分が底面３に引っ張られて新たな底部を形成しつつ、バッグ本体の前面及び後面の下方部分も引っ張られて新たな底部となるため、第二の調整状態では底部３のマチ幅が拡張される。これにより、底部３の長手方向を収縮させ、マチ幅方向を拡張して、様々な形態の収容物をバッグ本体に入れることが可能になる。
【００３６】
本実施形態では、第一の被係合部４１、４１が底部３の長手方向を４分の１程度収縮する位置に配置されていることから、第一係合部２１と第二の被係合部４３の係合した状態では、この第一の被係合部４１、４１の外方端に沿って、底部３が折り畳まれることとなり、使用者が折り畳みし易い状態となる。
【００３７】
図１、図８に示すように、本実施形態のバッグ本体２は、底部３の中央位置にバッグ１の表面側、外面側から補強部５１を取り付ける。本実施形態の補強部５１は、シート状体であって、その両側方端（長手方向側端）が被係合部４１、４１の外縁に沿った位置となるように配置する。これにより、被係合部４１、４１の固定パーツ等の固定跡を、底部３の表面から覆い隠すことができ、外観上優れたものとすることができる。
【００３８】
特に、この補強部５１は、第一係合部２１と第二の被係合部４３とを係合させ、底部３の長手方向を２分の１程度軽減させる場合、その折り曲げ線（図５（ａ）の折り曲げ線Ｍ２参照）が補強部５１の側方の端面に位置させることとなる。そのため、使用者が折り曲げ線Ｍ２で収縮させる場合に、折り曲げ位置を特定し易くなるだけでなく、補強部５１により収縮状態の底部３が決まるのでより収縮形態を容易に固定化することができる。
【００３９】
また、補強部５１の底マチ幅方向の端縁は、第一係合部２１と第二の被係合部４３と係合した状態で底部３のマチ幅方向に広がった状態と一致させることが好ましい。この場合、使用者は補強部５１の外縁に沿って底部３が形成されるように底部３を折り畳んで第一係合部２１と第二の被係合部４３とを係合させることで、より容易にバッグ本体２の長手方向の収縮状態を作り出すことができる。
【００４０】
また、補強部５１の素材は、少なくともバッグ本体１と同程度以上のコシやハリがあることが好ましく、帆布や薄手の革材を用いてもよい。また、補強部５１とバッグ本体２の表面との間にクッション材を入れて縫着するようにしてもよい。その他、バッグ本体２に適宜ファスナー、内ポケット、外ポケットやキャラクターデザインなどを適宜配置することもできる。
【符号の説明】
【００４１】
１…バッグ、２…バッグ本体、３…底部、４…取手、１１…耳部、１２…側方重ねしろ、２１…第一係合部、２２…第一係合片、３１…第二係合部、３２…第二係合片、４１…第一の被係合部、４３…第二の被係合部、５１…補強部
Ｘ…底マチ方向、Ｙ…長手方向、Ｈ…縫着線、Ｍ１…第一の調整状態の折り曲げ線、Ｍ２…第二の調整状態の折り曲げ線
【図１】
2019180694.tif 000003
【図２】
2019180694.tif 000004
【図３】
2019180694.tif 000005
【図４】
2019180694.tif 000006
【図５】
2019180694.tif 000007
【図６】
2019180694.tif 000008
【図７】
2019180694.tif 000009
【図８】
2019180694.tif 000010